(57)【要約】【課題】複数の物流拠点の夫々が管轄する、所定種類の商品の配送先配送地域の人口、市場規模、需要に応じて、当該所定種類の商品についての適切な物流拠点間の移動を可能とし、短納期や即納期に対応させ、物流コストを抑えたエコ物流を実現させること。【解決手段】履歴情報取得部１０１は、所定種類の商品についての物流情報の履歴を取得する。市場情報取得部１０２は、前記所定種類の商品の配送先となり得る配送地域の市場情報を取得する。在庫保有拠点決定部１０３は、前記物流情報の履歴と前記市場情報とのうち少なくとも一方に基づいて、複数の物流拠点のうち、未だ注文が受付けられていない所定種類の商品を保有させる物流拠点と、当該物流拠点に当該未だ注文が受付けられていない所定種類の商品を保有させる期間と数量とを決定する。【選択図】図３
2018181113.tif 000002
【特許請求の範囲】
【請求項１】
所定種類の商品についての物流情報の履歴を取得する履歴情報取得手段と、
前記所定種類の商品の配送先となり得る配送地域の市場情報を取得する市場情報取得手段と、
前記物流情報の履歴と前記市場情報とのうち少なくとも一方に基づいて、複数の物流拠点のうち、未だ注文が受付けられていない所定種類の商品を保有させる物流拠点と、当該物流拠点に当該未だ注文が受付けられていない所定種類の商品を保有させる期間と数量とを決定する在庫保有拠点決定手段と、
を備える情報処理装置。
【発明の詳細な説明】
【技術分野】
【０００１】
本発明は、情報処理装置に関する。
【背景技術】
【０００２】
従来より、物流拠点となる倉庫で保有される在庫を管理する技術は存在する。例えば、特許文献１には、販売店が受注した顧客からの製品の注文に対して在庫製品を引当て、販売店に注文に対する引当結果及び納期を送信する物流管理システムが提案されている。
【先行技術文献】
【特許文献】
【０００３】
【特許文献１】特開平９−１３６７０４号公報
【発明の概要】
【発明が解決しようとする課題】
【０００４】
しかしながら、特許文献１に記載された技術では、物流拠点が複数存在し、かつ同一種類の商品が複数の物流拠点の夫々に保有されている場合は、各物流拠点の在庫の一括管理、及び当該商品の適切な物流拠点間の移送を管理することができない。
【０００５】
本発明は、このような状況に鑑みてなされたものであり、複数の物流拠点の夫々が管轄する、所定種類の商品についての適切な物流拠点間の移動を可能とし、当該所定種類の商品についての短納期や即納期に対応させ、かつ、物流コストを抑えたエコ物流を実現させることを目的とする。
【課題を解決するための手段】
【０００６】
上記目的を達成するため、本発明の一態様である情報処理装置は、
所定種類の商品についての物流情報の履歴を取得する履歴情報取得手段と、
前記所定種類の商品の配送先となり得る地域の市場情報を取得する市場情報取得手段と、
前記物流情報の履歴と前記市場情報とのうち少なくとも一方に基づいて、複数の物流拠点のうち、未だ注文が受付けられていない所定種類の商品を保有させる物流拠点と、当該物流拠点に当該未だ注文が受付けられていない所定種類の商品を保有させる期間と数量とを決定する在庫保有拠点決定手段と、
を備える。
【発明の効果】
【０００７】
本発明によれば、複数の物流拠点の夫々が管轄する、所定種類の商品についての適切な物流拠点間の移動を可能とし、当該所定種類の商品の短納期や即納期に対応させ、かつ、物流コストを抑えたエコ物流を実現させることができる。
【図面の簡単な説明】
【０００８】
【図１】本発明の情報処理装置の一実施形態に係るサーバを含む、情報処理システムの構成を示す図である。
【図２】図１のサーバのハードウェア構成を示すブロック図である。
【図３】図２のサーバの機能的構成の一例を示す機能ブロック図である。
【図４】図３のサーバが実行する処理により、広域に配置された複数の倉庫の商品の在庫管理を効率良く行う運送会社の一例を示す図である。
【図５】図３のサーバが実行する在庫保有拠点決定処理の流れを説明するフローチャートである。
【発明を実施するための形態】
【０００９】
以下、本発明の実施形態について図面を用いて説明する。
【００１０】
図１は、本発明の情報処理装置の一実施形態に係るサーバ１を含む、情報処理システムの構成を示す図である。
【００１１】
図１に示す情報処理システムは、サーバ１と、倉庫Ｋ１乃至Ｋｎ（ｎは１以上の任意の整数値）の夫々に設置されている倉庫端末２−１乃至２−ｎとが、インターネット等の所定のネットワークＮを介して相互に接続されることで構成される。
なお、以下、倉庫Ｋ１乃至Ｋｎ、倉庫端末２−１乃至２−ｎの夫々を個々に区別する必要がない場合、これらをまとめて、「倉庫Ｋ」、「倉庫端末２」の夫々と呼ぶ。
【００１２】
ここで、「倉庫」とは、需要者に対し所定種類の商品を配送するために、当該所定種類の商品を在庫として保有する物流拠点のことをいう。「倉庫」は、通常、需要者に対し効率的に商品を配送するために、配送地域毎に設置される。例えば、ある運送会社が所有する、東日本の需要者宛の商品を在庫として保有する東京倉庫や、西日本の需要者宛の商品を在庫として保有する大阪倉庫は、いずれも「倉庫」の一例である。
【００１３】
本実施形態における倉庫Ｋには、倉庫Ｋの担当者が操作する倉庫端末２が設置されている。倉庫端末２には、倉庫Ｋが管轄する配送地域における所定種類の商品の物流情報の履歴と、倉庫Ｋが管轄する配送地域に関する市場情報とが記憶されている。
ここで、「物流情報」とは、倉庫Ｋが管轄する配送地域における、所定種類の商品についての、具体的な配送先住所、配送先住所への配送量、配送先住所に配送された時期等の情報をいう。なお、これらの情報に限定されず、所定種類の商品の配送に関するあらゆる情報を「物流情報」とすることができる。
また、「市場情報」とは、倉庫Ｋが管轄する配送地域における、人口、市場規模、トレンド等の情報をいう。なお、これらの情報に限定されず、倉庫Ｋが管轄する配送地域に関するあらゆる情報を「市場情報」とすることができる。
【００１４】
このように、倉庫端末２には、倉庫Ｋが管轄する配送地域における物流情報と、市場情報とが少なくとも含まれる。このため、サーバ１は、これらの情報を用いて、複数の倉庫Ｋの夫々で管理されている所定種類の商品の在庫を広域的に管理することにより、効率的な物流を実現させる。
具体的には、サーバ１は、倉庫端末２−１乃至２−ｎの夫々から、倉庫Ｋ１乃至Ｋｎの夫々が管轄する配送地域における物流情報と市場情報と取得し、これらの情報に基づいて各種決定を行う。これにより、効率的な物流を実現させることができる。
【００１５】
即ち、倉庫端末２−１乃至２−ｎの夫々が管轄する配送地域の人口、市場規模、過去の実際の注文内容などの需要等に応じて、所定種類の商品について物流拠点間の適切な在庫移動を行うことができる。具体的には例えば、季節や商品特性等に応じて、市場で望まれる商品を必要な期間だけ、当該市場が属する配送地域を管轄する倉庫Ｋ等の物流拠点に保有させることができる。
これにより、所定種類の商品について、短納期や即納期に対応できるようになるとともに、物流コストを抑えたエコ物流を実現させることができる。
なお、サーバ１が、物流情報と市場情報とを用いて、このような効率的な物流を実現させる具体的な手法は、図３乃至５を参照して後述する。
【００１６】
図２は、図１のサーバ１のハードウェア構成を示すブロック図である。
【００１７】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００１８】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００１９】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２０】
なお、図示はしないが、倉庫端末２も図２に示すハードウェア構成を有している。
【００２１】
出力部１６は各種液晶ディスプレイ等で構成され、各種情報を出力する。
入力部１７は、各種ハードウェア鉛等で構成され、各種情報を入力する。
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（例えば図１の倉庫端末２−１乃至２−ｎ）との間で行う通信を制御する。
【００２２】
ドライブ２０は、必要に応じて設けられる。ドライブ２０には磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。またリムーバブルメディア３０は、記憶部１８に記憶されている各種データも、記憶部１８と同様に記憶することが出来る。
次に、このようなハードウェア構成を持つサーバ１の機能について、図３を参照して説明する。
【００２３】
図３は、図２のサーバ１の機能的構成の一例を示す機能ブロック図である。
【００２４】
図３に示すように、サーバ１のＣＰＵ１１（図２）においては、履歴情報取得部１０１と、市場情報取得部１０２と、在庫保有拠点決定部１０３とが機能する。
記憶部１８（図２）の一領域には、履歴ＤＢ４０１と、市場ＤＢ４０２とが設けられている。
【００２５】
履歴情報取得部１０１は、所定種類の商品についての物流情報の履歴を取得する。具体的には、履歴情報取得部１０１は、倉庫端末２−１乃至２−ｎの夫々から、倉庫Ｋ１乃至Ｋｎの夫々が管轄する配送地域における所定種類の商品についての物流情報の履歴を取得する。履歴情報取得部１０１により取得された物流情報の履歴は、履歴ＤＢ４０１に記憶される。
例えば、サーバ１は、東日本を管轄する倉庫Ｋ１に設置された倉庫端末２−１から、神奈川県における所定種類の商品についての物流情報の履歴として、毎年４月の平均配送量といった情報を取得することができる。
【００２６】
市場情報取得部１０２は、所定種類の商品の配送先となり得る地域の市場情報を取得する。具体的には、市場情報取得部１０２は、倉庫端末２−１乃至２−ｎの夫々から、倉庫Ｋ１乃至Ｋｎの夫々が管轄する配送地域に関する市場情報を取得する。市場情報取得部１０２により取得された倉庫Ｋ１乃至Ｋｎの夫々が管轄する配送地域に関する市場情報は、市場ＤＢ４０２に記憶される。
例えば、サーバ１は、東日本を管轄する倉庫Ｋ１に設置された倉庫端末２−１から、神奈川県に関する市場情報として、神奈川県の人口は約９１０万人であるといった情報を取得することができる。
【００２７】
在庫保有拠点決定部１０３は、履歴ＤＢ４０１に記憶されている物流情報の履歴と、市場ＤＢ４０２に記憶されている市場情報とに基づいて、以下の決定を行う。
即ち、広域に配置された複数の物流拠点のうち、未だ注文が受付けられていない所定種類の商品を在庫として保有させる物流拠点と、当該物流拠点に当該未だ注文が受付けられていない所定種類の商品を在庫として保有させる期間と数量とを決定する。
つまり、広域に複数配置された倉庫Ｋ１乃至Ｋｎのうち、未だ注文が受付けられていない所定種類の商品を在庫として保有させる倉庫ｍ（ｍは１以上の任意の整数値）を決定する。また、在庫保有拠点決定部１０３は、倉庫Ｋｍに当該未だ注文が受付けられていない所定種類の商品を在庫として保有させる期間と数量とを決定する。
これにより、市場や需要に応じて、所定種類の商品について物流拠点間での適切な在庫移動が可能になる。例えば、季節や商品特性等に応じて、市場が望む商品を必要な期間だけ、当該市場が属する配送地域を管轄する拠点に所定種類の商品を所定数量保有させることができる。
【００２８】
例えば、４月現在、商品Ｘの在庫量が、東日本を管轄する倉庫Ｋ１と東日本を管轄する倉庫Ｋ２とでほとんど差がない状態を想定する。
このとき、履歴ＤＢ４０１に記憶されている物流情報の中に、「例年５月になると西日本における配送量が急増する」という情報と、「例年５月になると東日本における配送量が激減する」という情報とが含まれていたとする。
また、市場ＤＢ４０２に記憶されている市場情報の中に、「毎年５月５日のこどもの日に、九州を中心とする配送地域で、商品Ｘを使用する風習がある」という情報が含まれていたとする。
このような場合、在庫保有拠点決定部１０３は、５月（特にこどもの日までの５日間）に西日本において増加が予想される商品Ｘの需要に対応するため、予め４月中に、倉庫Ｋ１が保有する商品Ｘを倉庫Ｋ２に移送する決定を行うことができる。
また、この場合、在庫保有拠点決定部１０３は、例えば４月２５日から５月５日のこどもの日までの期間内だけ、倉庫Ｋ２に所定数量の商品Ｘを保有させる決定を行うことができる。
【００２９】
また、在庫保有拠点決定部１０３は、５月５日のこどもの日までの期間における商品Ｘの配送量の毎年の平均値等の物流情報に基づいて、倉庫Ｋ１から倉庫Ｋ２に移送させる具体的な数量を決定することもできる。また、こどもの日に商品Ｘを使用する風習がある配送地域の人口の増加数を市場情報として、倉庫Ｋ１から倉庫Ｋ２に移送させる具体的な数量を決定することもできる。
このように、在庫保有拠点決定部１０３は、商品Ｘについての物流情報と、倉庫Ｋ１と倉庫Ｋ２との夫々が管轄する配送地域の人口、市場規模、需要等に応じて、商品Ｘについての適切な拠点間移動のために必要となる各種決定を行うことができる。
これにより、商品Ｘの局所的な在庫不足を回避するだけではなく、短納期や即納期にも対応することができるようになり、かつ、物流コストを抑えたエコ物流を実現させることができる。
なお、サーバ１が実行する各種処理によって、広域に配置された複数の倉庫Ｋの在庫管理を効率良く行う運送会社の具体例については、図４乃至６を参照して後述する。
【００３０】
図４は、図３のサーバ１が実行する処理により、広域に配置された複数の倉庫Ｋの商品Ｙの在庫管理を効率良く行う運送会社の一例を示す図である。
【００３１】
図４に示す例では、物流拠点として、東京、大阪、及び仙台に合計３つの倉庫Ｋ３乃至Ｋ５を所有する運送会社が、倉庫Ｋ３乃至Ｋ５の夫々に、所定数量の商品Ｙを在庫として保有させているという状況を想定している。
ここで、東京に設置されている「東京物流センター」を倉庫Ｋ３とし、大阪に設置されている「大阪倉庫」を倉庫Ｋ４とし、仙台に設置されている「仙台物流センター」を倉庫Ｋ５として説明する。なお、図示はしないが、倉庫Ｋ３乃至Ｋ５の夫々には、倉庫端末２−３乃至２−５の夫々が設置されている。
【００３２】
倉庫Ｋ３は、関東地方及び中部地方に住む需要者に対して配送される予定の商品Ｙを在庫として保有している。倉庫Ｋ４は、北海道地方及び東北地方に住む需要者に対して配送される予定の商品Ｙを在庫として保有している。倉庫Ｋ５は、近畿地方、中国・四国地方、九州地方、及び沖縄地方に住む需要者に対して配送される予定の商品Ｙを在庫として保有している。
【００３３】
倉庫端末２−３には、倉庫Ｋ３が管轄する配送地域（関東地方及び中部地方）における商品Ｙについての物流情報が所定のタイミングで入力されるとともに、当該物流情報が履歴として記憶される。また、倉庫端末２−３には、倉庫Ｋ３が管轄する配送地域に関する市場情報が所定のタイミングで入力され記憶される。
倉庫端末２−４には、倉庫Ｋ４が管轄する配送地域（北海道地方及び東北地方）における商品Ｙについての物流情報が所定のタイミングで入力されるとともに、当該物流情報が履歴として記憶される。また、倉庫端末２−４には、倉庫Ｋ４が管轄する配送地域に関する市場情報が所定のタイミングで入力され記憶される。
倉庫端末２−５には、倉庫Ｋ５が管轄する配送地域（近畿地方、中国・四国地方、九州地方、及び沖縄地方）における商品Ｙについての物流情報が所定のタイミングで入力されるとともに、当該物流情報が履歴として記憶される。また、倉庫端末２−５には、倉庫Ｋ５が管轄する配送地域に関する市場情報が所定のタイミングで入力され記憶される。
【００３４】
ここで、倉庫端末２−３乃至２−５に記憶されている、商品Ｙについての物流情報の履歴は、サーバ１の履歴情報取得部１０１によって取得される。
例えば、履歴情報取得部１０１が、物流拠点である倉庫Ｋ３乃至Ｋ５の夫々に設置されている倉庫端末２−３乃至２−５の夫々から、各物流拠点における商品Ｙについての物流情報の履歴として、以下の情報を取得したとする。
即ち、履歴情報取得部１０１が、商品Ｙについての物流情報の履歴として、「春は、大阪の配送量が多い。大阪における春の期間中の平均的な配送量は３０ＣＴ（カートン）である」という情報と、「夏は、仙台の配送量が多い。仙台における夏の期間中の平均的な配送量は１００ＣＴである」という情報と、「秋は、東京の配送量が多い。東京における秋の期間中の平均的な配送量は５０ＣＴである」という情報とを取得したとする。
すると、履歴情報取得部１０１により取得された、商品Ｙについての物流情報の履歴は、履歴ＤＢ４０１に記憶される。
【００３５】
また、倉庫端末２−３乃至２−５に記憶されている、各管轄配送地域に関する市場情報は、サーバ１の市場情報取得部１０２によって取得される。
例えば、市場情報取得部１０２が、物流拠点である倉庫Ｋ３乃至Ｋ５の夫々に設置されている倉庫端末２−３乃至２−５の夫々から、各管轄配送地域に関する市場情報として、以下の情報を取得したとする。
即ち、市場情報取得部１０２が、各管轄配送地域に関する市場情報として、「宮城県仙台市の人口は約２３０万人である」という情報と、「東京都の人口は約１，３００万人である」という情報と、「大阪府の人口は約８９０万人である」という情報とを取得したとする。
すると、市場情報取得部１０２により取得された、各管轄配送地域に関する市場情報は、市場ＤＢ４０２に記憶される。
【００３６】
履歴ＤＢ４０１に記憶された商品Ｙについての物流情報の履歴、及び市場ＤＢ４０２に記憶された各管轄配送地域に関する市場情報は、いずれも商品Ｙを適切に物流拠点間の移動をさせるために必要な情報として利用される。
具体的には、在庫保有拠点決定部１０３が、履歴ＤＢ４０１に記憶された商品Ｙについての物流情報の履歴、及び市場ＤＢ４０２に記憶された各管轄配送地域に関する市場情報に基づいて、以下の決定を行う。
即ち、在庫保有拠点決定部１０３は、倉庫Ｋ３乃至倉庫Ｋ５のうち、未だ注文が受付けられていない商品Ｙを在庫として保有させる倉庫Ｋと、当該倉庫Ｋに、当該未だ注文が受付けられていない商品Ｙを在庫として保有させる期間と、実際に保有させる数量とを決定する。
例えば、在庫保有拠点決定部１０３は、秋に商品Ｙの配送量が多い東京都において、在庫不足を未然に防止し、短納期や即納期等に対応するために、事前（例えば８月のあるタイミング）に、倉庫Ｋ５から倉庫Ｋ３への商品Ｙの移送を決定することができる。また、同時に、在庫保有拠点決定部１０３は、倉庫Ｋ３に商品Ｙを実際に保有させる期間と数量とを決定することができる。具体的には例えば、図４に示す例ように、倉庫Ｋ３に商品Ｙを実際に保有させる期間を９月から１１月とし、倉庫Ｋ３に保有させる商品Ｙの数量を１，０００個とするといった決定を行うことができる。
在庫保有拠点決定部１０３においてこのような決定が行われることにより、物流拠点間で商品Ｙを適切に移送させることが可能となる。
これにより、商品Ｙの局所的な在庫不足を回避するだけではなく、短納期や即納期にも対応することができるようになり、かつ、物流コストを抑えたエコ物流を実現させることができる。
【００３７】
次に、図７を参照して、図３の機能的構成を有するサーバ１が実行する在庫保有拠点決定処理について説明する。
図５は、図３のサーバ１が実行する在庫保有拠点決定処理の流れを説明するフローチャートである。
【００３８】
図５に示すように、サーバ１では、次のような一連の処理が実行される。
ステップＳ１において、履歴情報取得部１０１は、所定種類の商品についての物流情報の履歴を取得する。具体的には、履歴情報取得部１０１は、倉庫端末２−１乃至２−ｎの夫々から、倉庫Ｋ１乃至Ｋｎの夫々が管轄する配送地域における所定種類の商品についての物流情報を取得する。履歴情報取得部１０１により取得された倉庫Ｋ１乃至Ｋｎの夫々が管轄する配送地域における所定種類の商品についての物流情報は、履歴ＤＢ４０１に記憶される。
ステップＳ２において、市場情報取得部１０２は、所定種類の商品の配送先となり得る配送地域の市場情報を取得する。具体的には、市場情報取得部１０２は、倉庫端末２−１乃至２−ｎの夫々から、倉庫Ｋ１乃至Ｋｎの夫々が管轄する配送地域に関する市場情報を取得する。市場情報取得部１０２により取得された倉庫Ｋ１乃至Ｋｎの夫々が管轄する配送地域に関する市場情報は、市場ＤＢ４０２に記憶される。
ステップＳ３において、在庫保有拠点決定部１０３は、ステップＳ１で履歴ＤＢ４０１に記憶された物流情報の履歴と、ステップＳ２で市場ＤＢ４０２に記憶された市場情報とに基づいて、次の決定を行う。即ち、広域に配置された倉庫Ｋ１乃至Ｋｎのうち、未だ注文が受付けられていない所定種類の商品を在庫として保有させる倉庫Ｋｐ（ｐは１以上の任意の整数値）を決定する。また、在庫保有拠点決定部１０３は、倉庫Ｋｐに当該未だ注文が受付けられていない所定種類の商品を在庫として保有させる期間と数量とを決定する。
これにより、所定種類の商品の局所的な在庫不足を回避するだけではなく、短納期や即納期にも対応することができるようになり、かつ、物流コストを抑えたエコ物流を実現させることができる。
【００３９】
以上、本発明の一実施形態について説明したが、本発明は、上述の実施形態に限定されるものではなく、本発明の目的を達成できる範囲での変形、改良等は本発明に含まれるものである。
【００４０】
例えば、上述した実施形態において、倉庫Ｋの担当者が操作する倉庫端末２は、倉庫Ｋに設置されている。しかし、倉庫端末２は、必ずしも倉庫Ｋに設置される必要はない。倉庫Ｋが在庫として保有する所定種類の商品についての物流情報と、倉庫Ｋが管轄する配送地域に関する市場情報とを適切に把握し管理することができる場所であれば特に設置場所は問わない。
【００４１】
また、上述した実施形態において、履歴情報取得部１０１は、倉庫端末２−１乃至２−ｎの夫々から、倉庫Ｋ１乃至Ｋｎの夫々が管轄する配送地域における所定種類の商品についての物流情報を取得することとされているが、取得ルートは特に限定されない。何らかの手法を用いて、倉庫Ｋ１乃至Ｋｎの夫々が管轄する配送地域における所定種類の商品についての物流情報を取得すればよい。例えば、倉庫端末２−１乃至２−ｎ以外の外部サーバ（図示なし）等から、倉庫Ｋ１乃至Ｋｎの夫々が管轄する配送地域における所定種類の商品についての物流情報を取得してもよい。
【００４２】
また、上述した実施形態において、市場情報取得部１０２は、倉庫端末２−１乃至２−ｎの夫々から、倉庫Ｋ１乃至Ｋｎの夫々が管轄する配送地域に関する市場情報を取得することとされているが、取得ルートは特に限定されない。何らかの手法を用いて、倉庫Ｋ１乃至Ｋｎの夫々が管轄する配送地域に関する市場情報を取得すればよい。例えば、倉庫端末２−１乃至２−ｎ以外の外部サーバ（図示なし）等から、倉庫Ｋ１乃至Ｋｎの夫々が管轄する配送地域に関する市場情報を取得してもよい。
【００４３】
また、図２に示す各ハードウェア構成は、本発明の目的を達成するための例示に過ぎず、特に限定されない。
【００４４】
また、図３に示す機能ブロック図は、例示に過ぎず、特に限定されない。即ち、上述した一連の処理を全体として実行出来る機能が情報処理システムに備えられていれば足り、この機能を実現するためにどのような機能ブロックを用いるのかは、特に図３の例に限定されない。
【００４５】
また、機能ブロックの存在場所も、図３に限定されず、任意でよい。例えばサーバ１側の機能ブロックの少なくとも一部を倉庫端末２側に設けてもよいし、その逆でもよい。
そして、１つの機能ブロックは、ハードウェア単体で構成してもよいし、ソフトウェア単体との組み合わせで構成してもよい。
【００４６】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００４７】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００４８】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
例えば、図５のステップＳ１において、履歴情報取得部１０１が所定の物流情報を取得し、ステップＳ２において、市場情報取得部１０２が所定の市場情報を取得している。しかし、物流情報の履歴と市場情報との夫々は、ステップＳ３における在庫保有拠点決定部１０３による各種決定が行われる時点で、履歴ＤＢ４０１と市場ＤＢ４０２との夫々に記憶されていれば足りる。このため、ステップＳ１において履歴情報取得部１０１が所定の物流情報を取得する処理と、ステップＳ２において市場情報取得部１０２が所定の市場情報を取得する処理とは、時系列的に逆であってもよいし、また同時であってもよい。
【００４９】
以上まとめると、本発明が適用される情報処理装置は、次のような構成を取れば足り、各種各様な実施形態を取ることができる。
即ち、本発明が適用される情報処理装置（例えば図１のサーバ１）は、
所定種類の商品についての物流情報の履歴を取得する履歴情報取得手段（例えば図３の履歴情報取得部１０１）と、
前記所定種類の商品の配送先となり得る配送地域の市場情報を取得する市場情報取得手段（例えば図３の市場情報取得部１０２）と、
前記物流情報の履歴と前記市場情報とのうち少なくとも一方に基づいて、複数の物流拠点のうち、未だ注文が受付けられていない所定種類の商品を保有させる物流拠点と、当該物流拠点に当該未だ注文が受付けられていない所定種類の商品を保有させる期間と数量とを決定する在庫保有拠点決定手段（例えば図３の在庫保有拠点決定部１０３）と、
を備える。
これにより、複数の物流拠点の夫々が管轄する、所定種類の商品の配送先配送地域の人口、市場規模、需要に応じて、当該所定種類の商品についての適切な物流拠点間の移動を可能とし、短納期や即納期に対応させ、物流コストを抑えたエコ物流を実現させることができる。
【符号の説明】
【００５０】
１：サーバ
２，２−１，２−２，２−３，２−４，２−５，２−ｎ：倉庫端末
１１：ＣＰＵ
１２：ＲＯＭ
１３：ＲＡＭ
１４：バス
１５：入出力インターフェース
１６：出力部
１７：入力部
１８：記憶部
１９：通信部
２０：ドライブ
３０：リムーバブルメディア
１０１：履歴情報取得部
１０２：市場情報取得部
１０３：在庫保有拠点決定部
４０１：履歴ＤＢ
４０２：市場ＤＢ
Ｋ，Ｋ１，Ｋ２，Ｋ３，Ｋ４，Ｋ５，Ｋｎ，Ｋｍ，Ｋｐ：倉庫
Ｎ：ネットワーク
【図１】
2018181113.tif 000003
【図２】
2018181113.tif 000004
【図３】
2018181113.tif 000005
【図４】
2018181113.tif 000006
【図５】
2018181113.tif 000007